(57)【要約】【課題】太陽光追尾機構における動作軸の配置や構成に応じて、太陽光電池パネルによる高い発電効率を実現させるための太陽光追尾機構制御装置、太陽光追尾装置及び太陽光発電システムを得ること。【解決手段】太陽光に追尾して太陽光電池パネル１の傾きを変化させるための動作軸を備える機構に対して、動作軸を中心とする太陽光電池パネル１の回転角度を指示するための角度指令値を生成する角度指令値生成手段２１を有し、太陽光電池パネル１の受光面の法線方向を表す単位ベクトルを第１単位ベクトル、太陽光電池パネル１を基準とする太陽の方位及び高度を表す単位ベクトルを第２単位ベクトル、として、角度指令値生成手段２１は、第１単位ベクトル及び第２単位ベクトルの内積が最大となる角度指令値を生成する。【選択図】図１
2010258369.tif 000002
【特許請求の範囲】
【請求項１】
太陽光に追尾して太陽光電池パネルの傾きを変化させるための動作軸を備える機構に対して、前記動作軸を中心とする前記太陽光電池パネルの回転角度を指示するための角度指令値を生成する角度指令値生成手段を有し、
前記太陽光電池パネルの受光面の法線方向を表す単位ベクトルを第１単位ベクトル、前記太陽光電池パネルを基準とする太陽の方位及び高度を表す単位ベクトルを第２単位ベクトル、として、
前記角度指令値生成手段は、前記第１単位ベクトル及び前記第２単位ベクトルの内積が最大となる前記角度指令値を生成することを特徴とする太陽光追尾機構制御装置。
【請求項２】
時角に対応させて前記太陽光電池パネルの傾きを変化させるための前記動作軸である追尾軸と、太陽赤緯に対応させて前記太陽光電池パネルの傾きを変化させるための前記動作軸である傾斜軸と、を備える前記機構に対して、
前記角度指令値生成手段は、前記追尾軸を中心とする前記回転角度を指示するための前記角度指令値である第１の角度指令値と、前記傾斜軸を中心とする前記回転角度を指示するための前記角度指令値である第２の角度指令値と、を生成することを特徴とする請求項１に記載の太陽光追尾機構制御装置。
【請求項３】
前記角度指令値生成手段は、前記追尾軸が前記傾斜軸に対して鉛直上側に搭載されている前記機構に対して、前記角度指令値を生成することを特徴とする請求項２に記載の太陽光追尾機構制御装置。
【請求項４】
前記角度指令値生成手段は、前記追尾軸及び前記傾斜軸の少なくとも一方について、天頂を中心とする前記回転角度の範囲が±９０度より小さい前記機構に対して、前記角度指令値を生成することを特徴とする請求項２又は３に記載の太陽光追尾機構制御装置。
【請求項５】
時角に対応させて前記太陽光電池パネルの傾きを変化させるための前記動作軸である追尾軸を備える前記機構に対して、
前記角度指令値生成手段は、前記追尾軸を中心とする前記回転角度を指示するための前記角度指令値を生成することを特徴とする請求項１に記載の太陽光追尾機構制御装置。
【請求項６】
前記太陽光電池パネルが敷設された場所の緯度及び経度と、時刻情報とに基づいて、前記太陽の方位及び高度を計算する太陽位置計算手段を有することを特徴とする請求項１〜５のいずれか一つに記載の太陽光追尾機構制御装置。
【請求項７】
前記時刻情報を出力する計時手段を有することを特徴とする請求項６に記載の太陽光追尾機構制御装置。
【請求項８】
太陽光に追尾して太陽光電池パネルの傾きを変化させるための動作軸を備える機構と、
前記機構を制御する太陽光追尾機構制御手段と、を有し、
前記太陽光追尾機構制御手段は、前記機構に対して、前記動作軸を中心とする前記太陽光電池パネルの回転角度を指示するための角度指令値を生成する角度指令値生成手段を備え、
前記太陽光電池パネルの受光面の法線方向を表す単位ベクトルを第１単位ベクトル、前記太陽光電池パネルを基準とする太陽の方位及び高度を表す単位ベクトルを第２単位ベクトル、として、
前記角度指令値生成手段は、前記第１単位ベクトル及び前記第２単位ベクトルの内積が最大となる前記角度指令値を生成することを特徴とする太陽光追尾装置。
【請求項９】
太陽光電池パネルと、
太陽光に追尾して前記太陽光電池パネルの傾きを変化させるための動作軸を備える機構と、
前記機構を制御する太陽光追尾機構制御手段と、を有し、
前記太陽光追尾機構制御手段は、前記機構に対して、前記動作軸を中心とする前記太陽光電池パネルの回転角度を指示するための角度指令値を生成する角度指令値生成手段を備え、
前記太陽光電池パネルの受光面の法線方向を表す単位ベクトルを第１単位ベクトル、前記太陽光電池パネルを基準とする太陽の方位及び高度を表す単位ベクトルを第２単位ベクトル、として、
前記角度指令値生成手段は、前記第１単位ベクトル及び前記第２単位ベクトルの内積が最大となる前記角度指令値を生成することを特徴とする太陽光発電システム。
【発明の詳細な説明】
【技術分野】
【０００１】
本発明は、太陽光追尾機構制御装置、太陽光追尾装置及び太陽光発電システムに関する。
【背景技術】
【０００２】
太陽光のエネルギーを利用する太陽光発電システムは、環境への負荷を軽減でき、安全、かつ比較的簡単に利用可能である、などの観点により注目されている。太陽光電池パネルにより太陽光のエネルギーを電力へ変換させる変換効率の向上や、低コスト化のための開発により、太陽光発電システムは、従来用いられる他の発電システムに対するコスト競争力も向上している。太陽光発電システムとしては、建物の屋上や屋根に太陽光電池パネルを敷設するもののみならず、より多くの発電量を得るために地表に大規模なサイトを設けて発電システムとして構築し、従来の発電所に近いレベルのエネルギーを供給することも始められている。
【０００３】
太陽は、日の出から日の入りまで天球上を移動し（時角）、また季節によって高度（太陽赤緯）が変化する。このため、太陽光電池パネルの傾きを固定すると、時刻及び季節の変化に伴って、受光面に対する太陽光の傾きが変化することとなるために、発電効率の低下が課題となる。そこで従来、発電効率の向上を目的として、太陽光に追尾して太陽光電池パネルの傾きを変化させる太陽光追尾機構の技術が提案されている。
【０００４】
例えば、特許文献１及び２には、太陽光から太陽の位置を検出し、太陽光電池パネルの傾きを調整させる技術が提案されている。例えば、特許文献３及び４には、緯度、経度、時刻を用いて太陽の方位及び高さを計算し、太陽光電池パネルの傾きを調整させる技術が提案されている。太陽光電池パネルは、時角に対応させて動作させる追尾軸と、太陽赤緯に対応させて動作させる傾斜軸と、を備える機構によって、傾きが調整される。例えば、特許文献５には、南北方向の動作軸回りに太陽光電池パネルを回転可能とし、太陽光の輻射熱により膨張する作動液の圧力により太陽光電池パネルを東西方向へ駆動させる技術が提案されている。
【先行技術文献】
【特許文献】
【０００５】
【特許文献１】特開平１０−１１７００７号公報
【特許文献２】特開平６−１５１９３４号公報
【特許文献３】特開２００７−２８１０５８号公報
【特許文献４】特開２００２−２０２８１７号公報
【特許文献５】特開平６−３０１４２０号公報
【発明の概要】
【発明が解決しようとする課題】
【０００６】
特許文献１及び２の技術の場合、センサや太陽光電池パネル自身を使用して太陽光を検出することから、曇天であるときや、太陽光以外の光が入射する可能性がある環境では、太陽光電池パネルを太陽に正対させる調整が困難となる場合がある。特許文献５の技術の場合も同様に、周囲の環境による影響が及ぶ場合があり得る。
【０００７】
特許文献３の技術では、傾斜軸に対して追尾軸を鉛直下側に配置することにより、太陽光電池パネルを太陽に正対させる調整が可能となる。傾斜軸回りの機構系の質量及び慣性は、追尾軸の負荷となる。機構のパワーと負荷トルクの観点からすると、追尾軸は、傾斜軸に対して動作が高速、かつ負荷トルクが大きくなる。特許文献３の技術の場合、傾斜軸に対して追尾軸が鉛直上側に配置される場合に比べて、大出力のモータ等が必要となる。太陽光電池パネルを動作させる２つの動作軸を要する上、大出力のモータ等が必要となることで、高コストになることが課題となる。
【０００８】
特許文献５の技術の場合、太陽光電池パネルを動作させる動作軸を１つにできる一方、角速度を一定として太陽光電池パネルを動作させる場合に、発電効率が低下することが課題となる。特許文献４の場合、傾斜軸に対して追尾軸が鉛直上側に配置する構成にできる一方、角速度を一定として太陽光電池パネルを動作させる場合に、発電効率が低下することが課題となる。
【０００９】
本発明は、上述に鑑みてなされたものであって、太陽光追尾機構における動作軸の配置や構成に応じて、太陽光電池パネルによる高い発電効率を実現させるための太陽光追尾機構制御装置、太陽光追尾装置及び太陽光発電システムを得ることを目的とする。
【課題を解決するための手段】
【００１０】
上述した課題を解決し、目的を達成するために、本発明は、太陽光に追尾して太陽光電池パネルの傾きを変化させるための動作軸を備える機構に対して、前記動作軸を中心とする前記太陽光電池パネルの回転角度を指示するための角度指令値を生成する角度指令値生成手段を有し、前記太陽光電池パネルの受光面の法線方向を表す単位ベクトルを第１単位ベクトル、前記太陽光電池パネルを基準とする太陽の方位及び高度を表す単位ベクトルを第２単位ベクトル、として、前記角度指令値生成手段は、前記第１単位ベクトル及び前記第２単位ベクトルの内積が最大となる前記角度指令値を生成することを特徴とする。
【発明の効果】
【００１１】
本発明によれば、太陽光追尾機構における動作軸の配置や構成に応じて、太陽光電池パネルによる高い発電効率を実現できるという効果を奏する。
【図面の簡単な説明】
【００１２】
【図１】図１は、実施の形態１に係る太陽光発電システムの概略構成図である。
【図２】図２は、実施の形態１での説明に使用する座標系を示す図である。
【図３】図３は、比較例１における太陽光電池パネルの傾きの変化を説明する図である。
【図４】図４は、比較例２における太陽光電池パネルの傾きの変化を説明する図である。
【図５】図５は、角度指令値ξを解いた計算例を表すグラフである。
【図６】図６は、角度指令値ξに対する幾何学的効率ηの計算例を表すグラフである。
【図７】図７は、角度指令値ξ、ψの計算例を表すグラフである。
【図８】図８は、角度指令値ξと、角度指令値ψの計算例とを表すグラフである。
【図９】図９は、角度指令値ξ、ψに対する幾何学的効率ηの計算例を表すグラフである。
【図１０】図１０は、実施の形態３に係る太陽光発電システムの太陽光電池パネルの傾きの変化を説明する図である。
【図１１】図１１は、角度指令値ξに対する幾何学的効率ηの計算例を表すグラフである。
【図１２】図１２は、受光面を水平にさせた状態を基本姿態とする場合の、太陽光電池パネルの傾きの変化を説明する図である。
【図１３】図１３は、角度指令値ξを解いた計算例を表すグラフである。
【図１４】図１４は、角度指令値ξに対する幾何学的効率ηの計算例を表すグラフである。
【発明を実施するための形態】
【００１３】
以下に、図面に基づいて、本発明に係る太陽光追尾機構制御装置、太陽光追尾装置及び太陽光発電システムの実施の形態を詳細に説明する。
【００１４】
実施の形態１．
図１は、本発明の実施の形態１に係る太陽光発電システムの概略構成図である。太陽光発電システムは、太陽光電池パネル１と、太陽光追尾装置２とを備える。太陽光電池パネル１は、太陽光を受ける受光面を備える。太陽光電池パネル１は、太陽光が受光面へ入射することにより発電する。太陽光追尾装置２は、太陽光追尾機構３と、制御装置４と、を備える。太陽光追尾機構３は、太陽光に追尾して太陽光電池パネル１の傾きを変化させるための機構である。制御装置４は、太陽光追尾機構３の駆動を制御する太陽光追尾機構制御装置（太陽光追尾機構制御手段）として機能する。制御装置４は、太陽の方位及び高度に応じて、太陽光電池パネル１の受光面が太陽に正対するように、太陽光追尾機構３の駆動を制御する。
【００１５】
太陽光追尾機構３は、太陽光電池パネル１の傾きを変化させる追尾軸１１及び傾斜軸１２を備える。追尾軸１１は、主に、時角に対応させて太陽光電池パネル１の傾きを変化させるための動作軸として機能する。傾斜軸１２は、主に、太陽赤緯に対応させて太陽光電池パネル１の傾きを変化させるための動作軸として機能する。また、太陽光追尾機構３は、追尾軸用モータ１３、傾斜軸用モータ１４、追尾軸用減速器１５、傾斜軸用減速器１６、追尾軸フレーム１７、及び傾斜軸フレーム１８を備える。さらに、太陽光追尾機構３は、太陽光電池パネル１の追尾軸１１回りの回転角度を検出する回転角度検出部（図示省略）と、太陽光電池パネル１の傾斜軸１２回りの回転角度を検出する回転角度検出部（図示省略）とを備える。
【００１６】
追尾軸用モータ１３は、追尾軸１１を回動させる。追尾軸用減速器１５は、追尾軸用モータ１３の回転を減速させる。追尾軸フレーム１７は、追尾軸１１を中心として太陽光電池パネル１が回動可能であるように、太陽光電池パネル１を支持する。傾斜軸用モータ１４は、傾斜軸１２を回動させる。傾斜軸用減速器１６は、傾斜軸用モータ１４の回転を減速させる。傾斜軸フレーム１８は、追尾軸フレーム１７により支持された太陽光電池パネル１が傾斜軸１２を中心として回動可能であるように、追尾軸フレーム１７を支持する。さらに、太陽光追尾機構３は、追尾軸用モータ１３及び傾斜軸用モータ１４用のアンプ１９を備える。
【００１７】
太陽光追尾機構３において、追尾軸１１は、傾斜軸１２に対して鉛直上側に搭載されている。太陽光発電システムは、追尾軸１１を南北方向、傾斜軸１２を東西方向にそれぞれ一致させて敷設される。太陽光発電システムは、例えば、傾斜軸フレーム１８を台座として敷設される。なお、太陽光発電システムは、傾斜軸フレーム１８を支持する台座を設けることとしても良い。
【００１８】
制御装置４は、角度指令値生成手段２１、太陽位置計算手段２２、及び計時手段２３を備える。角度指令値生成手段２１は、太陽光追尾機構３に対して、追尾軸１１及び傾斜軸１２を中心とする太陽光電池パネル１の回転角度を指示するための角度指令値を生成する。太陽位置計算手段２２は、太陽光発電システムが敷設された場所の緯度及び経度と、時刻情報とに基づいて、太陽の方位及び高度を計算する。計時手段２３は、年月日及び時刻を含む時刻情報を出力する。なお、各実施の形態において、緯度及び経度は、太陽光発電システムが敷設される場所に応じて制御装置４に設定される他、例えば、ＧＰＳ機能を用いて取得することとしても良い。時刻情報は、計時手段２３から得る他、例えば、電波時計を用いて取得することとしても良い。
【００１９】
図２は、本実施の形態での説明に使用する座標系を示す図である。ｘｙｚ座標系は、水平面がｘｙ平面であって、ｘ軸のプラス方向を南、ｙ軸のプラス方向を東、ｘｙ平面に垂直なｚ軸のプラス方向を鉛直上方向とする。ｘ軸は、追尾軸１１を表している。ｙ軸は、傾斜軸１２を表している。ベクトルｉは、ｘ軸プラス方向を表す単位ベクトルとする。ベクトルｊは、ｙ軸プラス方向を表す単位ベクトルとする。ベクトルｋは、ｚ軸プラス方向を表す単位ベクトルとする。
【００２０】
ｘ軸回りにおける角度θの回転変換行列Ｅｉθ、ｙ軸回りにおける角度θの回転変換行列Ｅｊθ、ｚ軸回りにおける角度θの回転変換行列Ｅｋθは、それぞれ式（１）、（２）、（３）のように定められる（回転変換行列については、例えば、広瀬著、「ロボット工学」、裳華房、１９８７年、ｐ．５〜８、参照）。なお、角度θは、それぞれのベクトル方向に対して右ネジ回りをプラスとする。
【００２１】
【数１】
2010258369.tif 000003
【００２２】
太陽光電池パネル１を基準とする太陽の方位及び高度を表す単位ベクトル（第２単位ベクトル）をベクトルｓとすると、ベクトルｓは、式（４）のように定義される。
ｓ＝ＥｊλＥｉθＥｊδ（ｋ）
＝（ｃｏｓ（λ）ｓｉｎ（δ）＋ｃｏｓ（δ）ｃｏｓ（θ）ｓｉｎ（λ）    −ｃｏｓ（δ）ｓｉｎ（θ）    ｃｏｓ（δ）ｃｏｓ（θ）ｃｏｓ（λ）−ｓｉｎ（δ）ｓｉｎ（λ））      （４）
【００２３】
但し、θは、時角であって、南中を０度、東向きを−９０度、西向きを９０度、とする。δは、太陽赤緯であって、夏側を負、冬側を正、とする。λは、太陽光発電システムの敷設場所の緯度とする。なお、各実施の形態において、時角及び太陽赤緯は、例えば、新太陽エネルギー利用ハンドブック編集委員会編、「新太陽エネルギー利用ハンドブック」、日本太陽エネルギー学会、２００１年、ｐ．１〜７、に掲載されている式を用いて計算される。この他、時角及び太陽赤緯の計算には、従来提案されている他の近似式を用いても良い。また、時角及び太陽赤緯は、予め計算された値を補間することにより得ることとしても良い。
【００２４】
次に、太陽光電池パネル１の発電効率について説明する。太陽光電池パネル１の受光面の法線方向を表す単位ベクトル（第１単位ベクトル）をベクトルｎとする。太陽光電池パネル１の発電に関する幾何学的効率は、ベクトルｎとベクトルｓとが平行であるときが最大となり、ベクトルｎとベクトルｓとが互いに垂直であるときが最小となる。そこで、式（５）に示すように、ベクトルｎとベクトルｓとの内積を、幾何学的効率ηと定義する。なお、ベクトルｎ及びベクトルｓがいずれも単位ベクトルであるため、幾何学的効率ηの最大値は１、最小値は０、となる。
η＝ｎ・ｓ      （５）
【００２５】
ここで、本実施の形態により生成される角度指令値について説明する前に、本実施の形態の比較例１により生成される角度指令値について説明する。図３は、比較例１における太陽光電池パネル１の傾きの変化を説明する図である。比較例１は、傾斜軸１２に対して追尾軸１１が鉛直下側に配置された機構により太陽光電池パネル１の傾きを変化させる例であって、例えば、上記の特許文献３の構成に相当する。図３の（ａ）は、受光面を水平にさせた初期状態の太陽光電池パネル１を表す。
【００２６】
図３の（ｂ）は、初期状態から、式（２）に従って、ｙ軸回りに角度λだけ太陽光電池パネル１を回転させた第１の状態を表す。ここで、λは、太陽光電池パネル１が設置された地点の緯度とする。比較例１では、太陽光電池パネル１、追尾軸１１、傾斜軸１２は、かかる第１の状態を基本姿態として据え付けられるとする。
【００２７】
図３の（ｃ）は、第１の状態から、式（１）に従って、追尾軸１１（ｘ軸）回りに角度ξだけ太陽光電池パネル１を回転させた第２の状態を表す。図３の（ｄ）は、第２の状態から、式（２）に従って、傾斜軸１２（ｙ軸）回りに角度ψだけ太陽光電池パネル１を回転させた第３の状態を表す。追尾軸１１を中心とする角度指令値がξ、傾斜軸１２を中心とする角度指令値がψであるとして、第３の状態におけるベクトルｎは、式（６）のように表される。
【００２８】
ｎ＝ＥｊψＥｉξＥｊλ（ｋ）＝（ｃｏｓ（ψ）ｓｉｎ（λ）＋ｃｏｓ（λ）ｃｏｓ（ξ）ｓｉｎ（ψ）    −ｃｏｓ（λ）ｓｉｎ（ξ）    ｃｏｓ（λ）ｃｏｓ（ξ）ｃｏｓ（ψ）−ｓｉｎ（λ）ｓｉｎ（ψ））      （６）
ここで、
ξ＝θ      （７）
ψ＝−δ      （８）
とする。但し、θは、時角であって、南中を０度、東向きを−９０度、西向きを９０度、とする。δは、太陽赤緯であって、夏側を負、冬側を正、とする。λは、太陽光発電システムの敷設場所の緯度とする。
【００２９】
比較例１の場合、追尾軸１１回りについては、ξには単純に時角θを計算して入力し、駆動すれば良い。傾斜軸１２回りについては、ψにその日の太陽赤緯δを計算して入力し、一日の間、値を固定すれば良い。これらの角度指令値を用いることにより、太陽光電池パネル１は、基本的に、受光面が常に太陽に正対するように駆動させることができる。従って、幾何学的効率は、終日、最大値１とすることが可能となる。また、角度指令値ξ、ψはいずれも簡単に算出可能であって、角速度を一定として太陽光電池パネル１を動作させることができる。
【００３０】
傾斜軸１２回りの機構系の質量及び慣性は、追尾軸１１の負荷となる。傾斜軸１２は１／４年の間に約２３．５度回転させるのに対して、追尾軸１１は毎時約１５度回転させることから、傾斜軸１２の角速度は、追尾軸１１の角速度に対して極めて低速である。機構のパワーと負荷トルクの観点からすると、追尾軸１１は、傾斜軸１２に対して動作が高速、かつ負荷トルクが大きくなる。このことから、比較例１の場合、傾斜軸１２に対して追尾軸１１が鉛直上側に配置される場合に比べて、大出力のモータ等が必要となる。太陽光電池パネル１を動作させる２つの動作軸を要する上、大出力のモータ等が必要となることで、高コストになることが課題となる。
【００３１】
次に、本実施の形態の比較例２において生成される角度指令値について説明する。図４は、比較例２における太陽光電池パネル１の傾きの変化を説明する図である。比較例２は、傾斜軸１２に対して追尾軸１１が鉛直上側に配置された機構により太陽光電池パネル１の傾きを変化させる例であって、例えば、上記の特許文献２の構成を、特許文献４の技術により制御する場合とする。図４の（ａ）は、受光面を水平とさせた初期状態の太陽光電池パネル１を表す。
【００３２】
図４の（ｂ）は、初期状態から、式（２）に従って、傾斜軸１２（ｙ軸）回りに角度ψだけ太陽光電池パネル１を回転させた第１の状態を表す。図４の（ｃ）は、第１の状態から、式（１）に従って、追尾軸１１（ｘ軸）回りに角度ξだけ太陽光電池パネル１を回転させた第２の状態を表す。追尾軸１１を中心とする角度指令値がξ、傾斜軸１２を中心とする角度指令値がψであるとして、第２の状態におけるベクトルｎは、式（９）のように表される。
ｎ＝ＥｉξＥｊψ（ｋ）＝（ｃｏｓ（ξ）ｓｉｎ（ψ）    −ｓｉｎ（ξ）    ｃｏｓ（ξ）ｃｏｓ（ψ））      （９）
【００３３】
角度ψは太陽南緯に合わせることとするため、ψは式（１０）のように表される。
ψ＝λ−δ      （１０）
【００３４】
式（９）に式（１０）を代入することにより、ベクトルｎは、式（１１）のように表される。
ｎ＝ＥｉξＥｊ（λ−δ）（ｋ）＝（−ｃｏｓ（ξ）ｓｉｎ（δ−λ）    −ｓｉｎ（ξ）    ｃｏｓ（δ−λ）ｃｏｓ（ξ））      （１１）
【００３５】
式（１１）及び式（４）を式（５）に代入して得られた幾何学的効率をηａとする。幾何学的効率ηａが最大となるときの角度指令値ξは、以下の式（１２）をξについて解くことで得られる。
【００３６】
【数２】
2010258369.tif 000004
【００３７】
図５は、角度指令値ξを解いた計算例を表すグラフである。この計算例における設定条件を、以下に示す。
北緯：３５度４５分２５秒
東経：１３５度２５分３５秒
月日：６月２１日（夏至）
【００３８】
図５の（ａ）は、式（１２）をξについて解いて得られた値のうち、太陽が地平線上に出ているときの値をプロットしたものである。朝方においてξが−９０度以下となる区間と、夕方においてξが９０度以上となる区間とは、計算上、太陽光電池パネル１の受光面の法線が地平線より下向きとなる状態を表している。ここでは、ξが−９０度以下となる区間は−９０度に、ξが９０度以上となる区間は９０度に設定するものとしてプロットしている。それ以外の区間のプロットは、実線で表すように、直線近似が可能である。
【００３９】
図５の（ｂ）は、図５の（ａ）における直線近似とξとの差Δξを拡大して表したものである。図５の（ｂ）に示すように、Δξは、時刻の経過により変化する。従って、比較例２の場合、幾何学的効率ηａを最大とするには、追尾軸１１回りにおける角速度は一定とはならず、時刻の経過により変化させることとなる。
【００４０】
図６は、角度指令値ξに対する幾何学的効率ηの計算例を表すグラフである。図６の（ａ）、（ｂ）、（ｃ）は、それぞれ３月２０日（春分）、６月２１日（夏至）、１２月２２日（冬至）である場合の計算例を表している。その他の設定条件を、以下に示す。
北緯：３５度４５分２５秒
東経：１３５度２５分３５秒
【００４１】
グラフ中、破線は、比較例２についての幾何学的効率ηの計算例を表す。実線は、上記の比較例１についての幾何学的効率ηの計算例を表している。比較例１の場合、春分、夏至、冬至のいずれも幾何学的効率ηは１となる。この場合、年間を通して幾何学的効率ηを１とすることが可能である。これに対して、比較例２の場合、幾何学的効率ηは、春分において１となる他、夏至及び冬至では低下している。このように、比較例２では、春分以外の日において、比較例１よりも幾何学的効率ηが低下する場合があることとなる。
【００４２】
上記の特許文献４の技術の場合、日中に太陽が移動する角度を均等に分割し、分割された角度ずつ、適当な時間間隔で太陽光電池パネル１を動作させる。また、南中の高度差についても均等に分割し、太陽光電池パネル１は、分割された角度ずつ、適当な日数間隔で太陽光電池パネル１を動作させる。比較例２の場合、追尾軸１１回り、傾斜軸１２回りにおける角速度を一定とすると、図６に示すように、幾何学的効率が低下してしまうこととなる。
【００４３】
次に、本実施の形態において角度指令値生成手段２１により生成される角度指令値について説明する。角度指令値生成手段２１は、傾斜軸１２に対して追尾軸１１が鉛直上側に配置された太陽光追尾機構３に対して、以下に説明するような演算を実行する。
【００４４】
式（９）及び式（４）を式（５）に代入してられた幾何学的効率をηｂとする。角度指令値生成手段２１は、ηｂ＝１とおくことで、幾何学的効率が最大となるときの角度指令値ξ（第１の角度指令値）と、角度指令値ψ（第２の角度指令値）とを計算する。
【００４５】
図７は、角度指令値ξ、ψの計算例を表すグラフである。図中、角度指令値ξは実線、角度指令値ψは破線により表している。図７の（ａ）、（ｂ）、（ｃ）は、それぞれ３月２０日（春分）、６月２１日（夏至）、１２月２２日（冬至）である場合の計算例を表している。その他の設定条件を、以下に示す。
北緯：３５度４５分２５秒
東経：１３５度２５分３５秒
【００４６】
角度指令値ξは、主に時角θに対応して変化する。追尾軸１１回りにおける角速度は、春分において一定となる他、春分以外では時刻の経過により変化させる。角度指令値ψは、主に太陽南緯に対応して変化する。角度指令値ψは、一日の中で時刻の経過に伴い変化させる。なお、角度指令値生成手段２１による演算は、本実施の形態の計算例における設定条件以外の緯度、経度、月日の場合も、本実施の形態の計算例と同様にできる。
【００４７】
このように、ηｂ＝１として角度指令値ξ、ψを生成することで、傾斜軸１２に対して追尾軸１１を鉛直上側に配置する構成において、図６の破線で表した状態から実線で表した状態へ、幾何学的効率を向上させることが可能となる。これにより、太陽光追尾機構３における動作軸の配置や構成に応じて、太陽光電池パネル１による高い発電効率を実現できるという効果を奏する。
【００４８】
なお、角度指令値ξ、ψは、以下のように計算しても良い。式（９）及び式（４）を式（５）に代入することで得られた幾何学的効率ηｂを角度指令値ξ、ψで微分して、それぞれを０とする（式（１３）、（１４））。
【００４９】
【数３】
2010258369.tif 000005
【００５０】
式（１３）及び式（１４）を連立させて、ξ及びψについて解くことにより、幾何学的効率を最大とする角度指令値ξ、ψが生成される。なお、本実施の形態では、追尾軸１１を南北方向、傾斜軸１２を東西方向にそれぞれ一致させて太陽光発電システムを敷設する場合について説明したが、これに限られない。太陽光発電システムを敷設する土地や建物の状況により、追尾軸１１や傾斜軸１２の方角を変更せざるを得ない場合であっても、角度指令値生成手段２１は、本実施の形態で説明するように角度指令値ξ、ψを生成する。制御装置４は、追尾軸１１及び傾斜軸１２の配置や構成に応じて、最も高い発電効率となるように太陽光追尾機構３を制御する。これにより、太陽光発電システムを敷設する状況に応じて、発電効率の低下を最小限にとどめることが可能となる。
【００５１】
実施の形態２．
本発明の実施の形態２に係る太陽光発電システムは、追尾軸１１及び傾斜軸１２の少なくとも一方について、天頂を中心とする回転角度の範囲が±９０度より小さいことを特徴とする。本実施の形態に係る太陽光発電システムの概略構成は、図１に示す実施の形態１に係る太陽光発電システムの概略構成と同様である。追尾軸１１及び傾斜軸１２の回転角度を±９０度より小さくすると、太陽光電池パネル１を回動させる範囲を小さくする分、追尾軸フレーム１７及び傾斜軸フレーム１８を小型にでき、コストを低減させることが可能となる。また、構成を小型にできることにより、風力による負荷が軽減され、耐久性を向上させることも可能となる。
【００５２】
ここでは、傾斜軸１２に対して追尾軸１１が鉛直上側に配置され、かつ追尾軸１１の角度ξの範囲が±９０度より小さい太陽光追尾機構３について、傾斜軸１２に対する角度指令値ψを生成する場合を例として説明する。角度指令値生成手段２１は、太陽光追尾機構３に対して、以下に説明するような演算を実行する。
【００５３】
追尾軸１１の角度ξの範囲が±ξｓｔ（０度＜ξｓｔ＜９０度）とする。実施の形態１で説明した式（１４）に±ξｓｔを代入し、ψについて解くことにより、幾何学的効率が最大となるときの角度指令値ψを計算する。
【００５４】
図８は、角度指令値ξと、角度指令値ψの計算例とを表すグラフである。図中、角度指令値ξは実線、角度指令値ψは破線により表している。図８の（ａ）、（ｂ）、（ｃ）は、それぞれ３月２０日（春分）、６月２１日（夏至）、１２月２２日（冬至）である場合の計算例を表している。その他の設定条件を、以下に示す。
北緯：３５度４５分２５秒
東経：１３５度２５分３５秒
ξｓｔ＝４５度
【００５５】
図９は、角度指令値ξ、ψに対する幾何学的効率ηの計算例を表すグラフである。図９の（ａ）、（ｂ）、（ｃ）は、それぞれ３月２０日（春分）、６月２１日（夏至）、１２月２２日（冬至）である場合の計算例を表している。その他の設定条件を、以下に示す。
北緯：３５度４５分２５秒
東経：１３５度２５分３５秒
【００５６】
グラフ中、破線は、角度ξの範囲±ξｓｔに対して、図８に示す角度指令値ψを適用する本実施の形態の場合の幾何学的効率ηの計算例を表している。図中、実線は、本実施の形態に対する比較例であって、角度ξの範囲±ξｓｔに対して、式（１０）に従い太陽南緯に合わせて一定とした角度指令値ψを適用した場合の幾何学的効率ηの計算例を表している。本実施の形態と比較例とでは、春分と不図示の秋分とでは、幾何学的効率ηは略同じとなる。夏至と冬至とでは、朝方と夕方とにおいて、比較例よりも本実施の形態のほうが幾何学的効率ηは高くなる。本実施の形態の場合、比較例の場合よりも幾何学的効率ηを向上させる効果を得ることができる。これにより、追尾軸１１及び傾斜軸１２の少なくとも一方の回転角度が±９０度より小さく制限される太陽光追尾機構３に対して、発電効率の低下を最小限にとどめる制御が可能となる。
【００５７】
角度指令値生成手段２１による演算は、ξｓｔが０度から９０度までのいずれの角度である場合も、本実施の形態の計算例と同様にできる。角度指令値生成手段２１による演算は、傾斜軸１１の角度ψの範囲が±９０度より小さい場合も、本実施の形態の計算例と同様にできる。角度指令値生成手段２１による演算は、本実施の形態の計算例における設定条件以外の緯度、経度、月日の場合も、本実施の形態の計算例と同様にできる。
【００５８】
実施の形態３．
図１０は、本発明の実施の形態３に係る太陽光発電システムの太陽光電池パネル１の傾きの変化を説明する図である。本実施の形態に係る太陽光発電システムは、傾斜軸１２が設けられず、動作軸として追尾軸１１の１軸のみを備えることを特徴とする。本実施の形態に係る太陽光発電システムの概略構成は、傾斜軸１２と、傾斜軸１２を駆動させるための構成とが省略される他は、上記の実施の形態１に係る太陽光発電システムの概略構成と同様である。太陽光発電システムは、追尾軸１１を南北方向に一致させて敷設される。動作軸として追尾軸１１の１軸のみを備えることにより、太陽光追尾機構３を簡易かつ小型な構成にでき、コストを低減させることが可能となる。また、構成を簡易かつ小型にできることにより、風力による負荷が軽減され、耐久性を向上させることも可能となる。
【００５９】
図１０の（ａ）は、受光面を水平にさせた初期状態の太陽光電池パネル１を表す。図１０の（ｂ）は、初期状態から、式（２）に従って、ｙ軸回りに角度λだけ太陽光電池パネル１を回転させた第１の状態を表す。ここで、λは、太陽光電池パネル１が設置された地点の緯度とする。本実施の形態では、太陽光電池パネル１、追尾軸１１は、かかる第１の状態を基本姿態として据え付けられている。
【００６０】
図１０の（ｃ）は、第１の状態から、式（１）に従って、追尾軸１１（ｘ軸）回りに角度ξだけ太陽光電池パネル１を回転させた第２の状態を表す。追尾軸１１を中心とする角度指令値がξであるとして、第２の状態におけるベクトルｎは、式（１５）のように表される。
ｎ＝ＥｊλＥｉξ（ｋ）＝（ｃｏｓ（ξ）ｓｉｎ（λ）    −ｓｉｎ（ξ）    ｃｏｓ（ξ）ｃｏｓ（λ））      （１５）
【００６１】
式（１５）及び式（４）を式（５）に代入して得られた幾何学的効率をηｃとする。幾何学的効率ηｃが最大となるときの角度指令値ξは、以下の式（１６）をξについて解くことで得られる。
【００６２】
【数４】
2010258369.tif 000006
【００６３】
式（１６）をξについて解くと、以下の式（１７）が得られる。
ξ＝θ      （１７）
但し、θは、時角であって、南中を０度、東向きを−９０度、西向きを９０度、とする。
【００６４】
従って、本実施の形態に係る太陽光発電システムは、追尾軸１１を南北方向に一致させ、ｙ軸回りに角度λだけ太陽光電池パネル１を回転させた状態を基本姿態とすることにより、ξには単純に時角θを計算して入力し、駆動すれば良いこととなる。
【００６５】
図１１は、角度指令値ξに対する幾何学的効率ηの計算例を表すグラフである。幾何学的効率ηは、いずれも破線で表している。図１１の（ａ）、（ｂ）、（ｃ）は、それぞれ３月２０日（春分）、６月２１日（夏至）、１２月２２日（冬至）である場合の計算例を表している。その他の設定条件を、以下に示す。
北緯：３５度４５分２５秒
東経：１３５度２５分３５秒
【００６６】
幾何学的効率ηは、春分において終日１にできる他は、夏至及び冬至では１より低い値で終日一定となる。本実施の形態により、動作軸が追尾軸１１の１軸のみである太陽光追尾機構３に対して、発電効率の低下を最小限にとどめる制御が可能となる。なお、太陽光追尾機構３は、水平に対してｙ軸回りに角度λだけ太陽光電池パネル１を回転させた状態を基本姿態とする場合に限られない。基本姿態における太陽光電池パネル１の回転角度は、太陽光電池パネル１が風を受ける程度や、太陽光発電システムを敷設する土地や建物の状況に応じて適宜設定することとしても良い。
【００６７】
基本姿態における太陽光電池パネル１の回転角度や、追尾軸１１の方角を変更せざるを得ない場合であっても、角度指令値生成手段２１は、追尾軸１１の配置や構成に応じて、高い発電効率を実現するような角度指令値ξ生成する。制御装置４は、追尾軸１１の配置や構成に応じて、最も高い発電効率となるように太陽光追尾機構３を制御する。これにより、太陽光発電システムを敷設する状況に応じて、発電効率の低下を最小限にとどめることが可能となる。
【００６８】
図１２は、一例として、受光面を水平にさせた状態を基本姿態とする場合の、太陽光電池パネル１の傾きの変化を説明する図である。図１２の（ａ）は、受光面を水平にさせた基本姿態の太陽光電池パネル１を表す。図１２の（ｂ）は、基本姿態から、式（１）に従って、追尾軸１１（ｘ軸）回りに角度ξだけ太陽光電池パネル１を回転させた状態を表す。角度指令値生成手段２１は、太陽光追尾機構３に対して、以下に説明するような演算を実行する。
【００６９】
追尾軸１１を中心とする角度指令値がξであるとして、太陽光電池パネル１を回転させた状態におけるベクトルｎは、式（１８）のように表される。
ｎ＝Ｅｉξ（ｋ）＝（０    −ｓｉｎ（ξ）    ｃｏｓ（ξ））      （１８）
【００７０】
式（１８）及び式（４）を式（５）に代入して得られた幾何学的効率をηｄとする。幾何学的効率ηｄが最大となるときの角度指令値ξは、以下の式（１９）をξについて解くことで得られる。
【００７１】
【数５】
2010258369.tif 000007
【００７２】
図１３は、角度指令値ξを解いた計算例を表すグラフである。図１３の（ａ）、（ｂ）、（ｃ）は、それぞれ３月２０日（春分）、６月２１日（夏至）、１２月２２日（冬至）である場合の計算例を表している。その他の設定条件を、以下に示す。
北緯：３５度４５分２５秒
東経：１３５度２５分３５秒
【００７３】
グラフ中のプロットは、ξの計算値を表し、実線は、ξの計算値の直線近似を表す。ξの計算値には直線から外れるものがあることから、幾何学的効率ηを最大とするには、追尾軸１１回りにおける角速度は一定とはならず、時刻の経過により変化させることとなる。
【００７４】
図１４は、角度指令値ξに対する幾何学的効率ηの計算例を表すグラフである。図１４の（ａ）、（ｂ）、（ｃ）は、それぞれ３月２０日（春分）、６月２１日（夏至）、１２月２２日（冬至）である場合の計算例を表している。その他の設定条件を、以下に示す。
北緯：３５度４５分２５秒
東経：１３５度２５分３５秒
【００７５】
グラフ中、破線は、式（１９）により計算された角度指令値ξを用いる場合の幾何学的効率ηの計算例を表す。実線は、角度指令値として、ξの計算値の直線近似を用いて、角速度を一定とする場合の計算例を表す。このように、本実施の形態により計算された角度指令値ξを用いることにより、角速度を一定とするような角度指令値ξを用いる場合に比べて、幾何学的効率ηを向上させる効果を得られる。なお、角度指令値生成手段２１による演算は、本実施の形態の計算例における設定条件以外の緯度、経度、月日の場合も、本実施の形態の計算例と同様にできる。
【産業上の利用可能性】
【００７６】
以上のように、本発明にかかる太陽光追尾機構制御装置、太陽光追尾装置及び太陽光発電システムは、太陽光のエネルギーを利用して電力エネルギーを取り出す場合に有用である。
【符号の説明】
【００７７】
１  太陽光電池パネル
２  太陽光追尾装置
３  太陽光追尾機構
４  制御装置
１１  追尾軸
１２  傾斜軸
２１  角度指令値生成手段
【図１】
2010258369.tif 000008
【図２】
2010258369.tif 000009
【図３】
2010258369.tif 000010
【図４】
2010258369.tif 000011
【図５】
2010258369.tif 000012
【図６】
2010258369.tif 000013
【図７】
2010258369.tif 000014
【図８】
2010258369.tif 000015
【図９】
2010258369.tif 000016
【図１０】
2010258369.tif 000017
【図１１】
2010258369.tif 000018
【図１２】
2010258369.tif 000019
【図１３】
2010258369.tif 000020
【図１４】
2010258369.tif 000021